(57)【要約】【課題】誤印刷することを抑制し所望の画像形成を実現する技術を提供する。【解決手段】情報を記録する記録手段がカセット部に備えられ、記録手段に対して情報の読み取りおよび書き込みを行う情報入出力手段が本体部に備えられる画像形成装置を、複数有する画像形成システムであって、複数の画像形成装置の中の第１画像形成装置は、自己の本体部に取り付けられたカセット部に設置されている記録媒体に、第１画像を形成するとともに、事前に取得した第１情報を当該カセット部の記録部に書き込み、複数の画像形成装置の中の第２画像形成装置は、カセット部が自己の本体部に取り付けられると、当該カセット部の記録部に記録されている情報を読み取り、読み取った当該情報と事前に取得した第２情報とに基づき、カセット部に設置される記録媒体に第２画像を形成するか、もしくは画像を形成せずにエラー通知を行うかのいずれかを実施する、ことを特徴とする。【選択図】図７
2020142443.tif 000002
【特許請求の範囲】
【請求項１】
情報を記録する記録手段を有するカセット部と、
前記記録手段に対して情報の読み取りおよび書き込みを行う情報入出力手段と、
記録媒体に画像形成を行う画像形成手段と、
前記カセット部に設置された記録媒体に画像形成を行うように、前記画像形成手段を制御する制御手段と、
前記情報入出力手段、前記画像形成手段、前記制御手段を収容するとともに、前記カセット部を着脱可能に収容する本体部と、
を備える画像形成装置を、複数有する画像形成システムであって、
前記複数の画像形成装置の中の第１画像形成装置の制御手段は、
当該第１画像形成装置の本体部に取り付けられたカセット部に設置されている記録媒体に、第１画像を形成するように前記画像形成手段を制御するとともに、事前に取得した第１情報を当該カセット部の記録手段に書き込むように前記情報入出力手段を制御し、
前記複数の画像形成装置の中の第２画像形成装置の制御手段は、
当該第２画像形成装置の本体部にカセット部が取り付けられると、当該カセット部の記録手段に記録されている情報を読み取るように前記情報入出力手段を制御し、読み取った当該情報と事前に取得した第２情報とに基づき、前記カセット部に設置される記録媒体に第２画像を形成するか、もしくは画像を形成せずにエラー通知を行うかのいずれかを行う、
ことを特徴とする画像形成システム。
【請求項２】
請求項１に記載の画像形成システムにおいて、
前記第２画像形成装置の制御手段は、
読み取った前記情報が前記第１情報であり、且つ前記第２情報と前記第１情報との値が一致する場合、前記記録媒体に前記第２画像を形成し、
読み取った前記情報が前記第１情報で無い場合、または前記第２情報と前記第１情報との値が一致しない場合、前記第２画像を形成せずにエラー通知を行う、ことを特徴とする画像形成システム。
【請求項３】
請求項１に記載の画像形成システムにおいて、
前記第２画像形成装置の制御手段は、
読み取った前記情報が前記第１情報であり、且つ前記第２情報を構成する要素の中のいずれかと前記第１情報とで値が一致する場合、前記記録媒体に前記第２画像を形成し、
読み取った前記情報が前記第１情報で無い場合、または前記第２情報を構成する要素の中のいずれかと前記第１情報とで値が一致しない場合、前記第２画像を形成せずにエラー通知を行う、ことを特徴とする画像形成システム。
【請求項４】
請求項１に記載の画像形成システムにおいて、
前記第２画像形成装置の制御手段は、
読み取った前記情報が前記第１情報であり、且つ前記第１情報を構成する要素の中のいずれかと前記第２情報とで値が一致する場合、前記記録媒体に前記第２画像を形成し、
読み取った前記情報が前記第１情報で無い場合、または前記第１情報を構成する要素の中のいずれかと前記第２情報とで値が一致しない場合、前記第２画像を形成せずにエラー通知を行う、ことを特徴とする画像形成システム。
【請求項５】
請求項１に記載の画像形成システムにおいて、
前記第１画像形成装置の画像形成手段は、白色で前記第１画像を形成し、
前記第２画像形成装置の画像形成手段は、白色以外の色で前記第２画像を形成する、ことを特徴とする画像形成システム。
【発明の詳細な説明】
【技術分野】
【０００１】
本発明は、画像形成システムに関する。
【背景技術】
【０００２】
衣服やカバンなどに画像を形成するガーメントプリンタ（画像形成装置）においては、作業効率や時間短縮の観点から、画像形成装置を複数台用意して色ごとに印刷を行う場合がある。
【０００３】
このように色ごとに印刷を行う例として、１台もしくは複数台の白色専用の画像形成装置、および１台もしくは複数台のカラー専用の画像形成装置を用意して運用するケースがある。この場合、白色専用の画像形成装置で印刷を行って下地を付けてから、利用者の手作業でカセットを白色専用の画像形成装置から取り出し、カラー専用の画像形成装置に当該カセットを取り付けて、カラー印刷を行い上塗りする。
【０００４】
また、同じデザインではあるが色の組み合わせを異ならせてカラーバリエーションを持たせた商品などを製造することも、日常的に行われる。この場合、色ごとに個別に画像形成装置を用意して作業を行うことがある。
【０００５】
関連のある技術として、ネットワークに接続された複数の画像処理装置を組み合わせて用いるシステムにおいて、当該複数の画像処理装置によって実現可能な画像処理を、ユーザが適切に把握する技術がある（例えば特許文献１）。
【発明の概要】
【発明が解決しようとする課題】
【０００６】
布などの記録媒体が例えば白地であり、その上に白色の画像形成を行うと、形成後の画像は記録媒体の素地と同化することとなる。よって、複数のカセットを用いて運用する場合において、各カセットが混在すると、いずれのカセットに白色印刷を行ったのかを容易に確認することができず、カセットの取り間違えが発生することが想定される。よって、取り間違えて白色印刷を行っていないカセットをカラー専用の画像形成装置に挿入すると、誤印刷してしまうという問題がある。
【０００７】
また、カラーバリエーションを持たせた商品などを製造する場合でも、誤って想定外の印刷機にカセットを挿入し、別の色で印刷してしまうケースもある。
【０００８】
特許文献１には、所望の画像処理を実現可能な装置を検索し、確認することができるが、上記の誤印刷の防止については開示されていない。
【０００９】
本発明は、誤印刷することを抑制し所望の画像形成を実現することができる技術を提供することを目的とする。
【課題を解決するための手段】
【００１０】
上記課題を解決するために、本発明の画像形成システムは、情報を記録する記録手段を有するカセット部と、記録手段に対して情報の読み取りおよび書き込みを行う情報入出力手段と、記録媒体に画像形成を行う画像形成手段と、媒体設置手段に設置された記録媒体に画像形成を行うように、画像形成手段を制御する制御手段と、情報入出力手段、画像形成手段、制御手段を収容するとともに、カセット部を着脱可能に収容する本体部と、を備える画像形成装置を、複数有する画像形成システムであって、複数の画像形成装置の中の第１画像形成装置の制御手段は、当該第１画像形成装置の本体部に取り付けられたカセット部に設置されている記録媒体に、第１画像を形成するように画像形成手段を制御するとともに、事前に取得した第１情報を当該カセット部の記録手段に書き込むように情報入出力手段を制御し、複数の画像形成装置の中の第２画像形成装置の制御手段は、当該第２画像形成装置の本体部にカセット部が取り付けられると、当該カセット部の記録手段に記録されている情報を読み取るように情報入出力手段を制御し、読み取った当該情報と事前に取得した第２情報とに基づき、カセット部に設置される記録媒体に第２画像を形成するか、もしくは画像を形成せずにエラー通知を行うかのいずれかを行う、ことを特徴とする。
【発明の効果】
【００１１】
本発明によれば、誤印刷することを抑制し所望の画像形成を実現することができる。
【図面の簡単な説明】
【００１２】
【図１】実施形態の画像形成装置の外観を示す斜視図である。
【図２】実施形態のカセットの外観を示す斜視図である。
【図３】実施形態のカセットの断面図である。
【図４】実施形態の画像形成装置の構成を説明するための図である。
【図５】実施形態の画像形成装置の内部構成を例示するブロック図である。
【図６】従来の動作例を示すシーケンス図である。
【図７】実施形態の動作例を示すシーケンス図である。
【発明を実施するための形態】
【００１３】
図１は、本実施形態の画像形成装置を示す斜視図であり、カセットが本体部から取り外された状態を示している。
【００１４】
画像形成装置１０００は、布等の記録媒体（後述の記録媒体４００）に印刷可能なガーメントプリンタであり、着脱可能なカセット２００（カセット部）に設置された記録媒体に対して画像を形成する。本実施形態では、記録媒体として布地を用いた場合を想定して説明するが、ハンカチ、タオルなどの一枚の布地で形成されるものだけではなく、Ｔシャツ、トレーナーなどの衣服として加工された布地、トートバック等の製品の一部となっているものにも用いることができる。また、布以外にもシート状のものであれば記録媒体として本実施形態の態様を適用することができる。
【００１５】
カセット２００が画像形成装置１０００の本体部に挿入され、副走査方向（図１のＹ軸方向）に移動することで、画像形成装置１０００は、プラテン３００にセットされた記録媒体に対し印刷を行う。
【００１６】
本実施形態において、カセット２００の外装側面にはＩＤチップ１１２０（記録手段）が組み込まれており、画像形成装置１０００の本体部１１００には、ＩＤチップ１１２０の読み取りおよび書込みを行うＩＤチップリーダライタ１１１０（情報入出力手段）が備えられている。ＩＤチップ１１２０は、ＩＣチップとアンテナとを備えた非接触型のモジュールである。ＩＤチップ１１２０は、ＩＤチップリーダライタ１１１０との間隔が１０ｍｍ程度になると、ＩＤチップリーダライタ１１１０からの電磁波を受け取り、これに起因して発生した電流によりＩＤチップリーダライタ１１１０と通信を行う。
【００１７】
ＩＤチップリーダライタ１１１０は、カセット２００が画像形成装置１０００の本体部１１００に挿入されているときに、カセット２００の側面に位置するＩＤチップ１１２０に対して読み書き可能となる箇所に設けられている。尚、ＩＤチップ１１２０の組み込み位置やＩＤチップリーダライタ１１１０の取り付け位置については特に限定されず、カセット２００が画像形成装置１０００の本体に挿入され、一体となっている状態で読み書き可能な位置であればよい。また、本実施形態では非接触型のＩＣチップを採用しているが、接触型の磁気チップを採用してもよい。
【００１８】
次にカセット２００の構成について説明する。図２（Ａ）はカセット２００のカバー２０２が閉じた状態、図２（Ｂ）はカバー２０２が開いた状態をそれぞれ示す斜視図である。また図３はカセット２００の断面図である。
【００１９】
カセット２００は、画像形成装置１０００の本体から着脱可能な外装となっており、またプラテン３００を備えている。カセット２００のカバー２０２は、ヒンジ２０３を介してカセットベース２０１と連結しており、利用者がロック２０４を解除して図２（Ｂ）に示す矢印Ａの方向にカバー２０２を回動させることで、カセット２００が開き状態となる。
【００２０】
プラテン３００は板状部材であり、図３に示す支柱ベース２３１、支柱カバー３３１、スプリング３３２により構成される支柱３１１によって支持されている。またプラテン３００は、支柱３１１によって上方（カセットベース２０１から離間する方向、Ｚ軸方向）に付勢されている。
【００２１】
利用者は、シワを取り除くように張りながら、記録媒体４００をプラテン３００上にセットして、カバー２０２を閉じ状態にする。カバー２０２が閉じ状態になると、プラテン３００上にセットされた記録媒体４００は、プラテン３００の外周とカバー２０２とで挟み込まれ、シワの発生を抑制した状態で保持される。利用者は、このように記録媒体４００をセットした後、カセット２００を画像形成装置１０００の本体部１１００に挿入する。
【００２２】
つぎに、画像形成装置１０００の詳細構成について説明する。図４（Ａ）、（Ｂ）は、画像形成装置１０００の構成を説明するための図であり、それぞれ異なる方向から見た場合の斜視図である。尚、図４では、画像形成装置１０００とは異なる機種のガーメントプリンタを参考図として用いているが、各ユニットの機能や用途、動作などについては同じであることから、図４に示す装置を本実施形態の画像形成装置１０００として扱って説明を行う。
【００２３】
画像形成装置１０００は、本体部１１００内に、記録媒体４００を保持するカセット２００を着脱可能に保持して進退移動する受け部材であるステージ１１１と、カセット２００のプラテン３００の上に保持されている記録媒体４００に印刷する印刷手段１１２（画像形成手段）とを備えている。
【００２４】
ステージ１１１は、本体部１１００に対して矢印Ａ方向（副走査方向）に移動可能に保持された搬送構造体１１３の上に設けられている。ここでは、本体部１１００の底部筐体部１１４に矢印Ａ方向に沿って搬送ガイド部材１１５が配置され、搬送構造体１１３のスライダ部１１６が搬送ガイド部材１１５によって移動可能に保持されている。
【００２５】
印刷手段１１２は、ステージ１１１に対して矢印Ｂ方向（主走査方向）に移動するキャリッジ１２１と、キャリッジ１２１に搭載された記録ヘッド１１０２とを備えている。キャリッジ１２１は、矢印Ｂ方向に沿って配置されたガイド部材１２３で移動可能に保持され、駆動モータ１２４によってタイミングベルト１２５などの走査機構部を介して矢印Ｂ方向に往復移動される。記録ヘッド１１０２は液体吐出ヘッドを用いて、インクを布地表面に吐出して画像の形成を行っているが、これに限るものではない。
【００２６】
この画像形成装置１０００においては、カセット２００に記録媒体４００をセットした状態で、装置本体内のステージ１１１にカセット２００を装着して保持する。そして、ステージ１１１の矢印Ａ方向への移動と記録ヘッド１１０２の矢印Ｂ方向への往復移動を繰り返すことで、記録媒体４００に所要の画像を印刷する。
【００２７】
引き続き、画像形成装置１０００の動作制御に関して説明する。図５は、画像形成装置１０００の内部構成を示すブロック図である。
【００２８】
制御部５００（制御手段）は、画像形成装置１０００の装置全体の制御を司る、記録媒体４００の搬送動作及び記録ヘッド１１０２の移動動作に関する制御を司る手段を兼ねたＣＰＵ５１２と、ＣＰＵ５１２が実行するプログラム、その他の固定データを格納するＲＯＭ５１３を有する。制御部５００は、画像データ等を一時格納するＲＡＭ５１４と、装置の電源が遮断されている間もデータを保持するための書き換え可能な不揮発性メモリであるＮＶＲＡＭ５１５と、画像データに対する各種信号処理、並び替えなどを行う画像処理やその他装置全体を制御するための入出力信号を処理するＡＳＩＣ５１６を有する。
【００２９】
制御部５００は、外部のパーソナルコンピュータのプリンタドライバ５０１とデータや信号の送受を行うための外部Ｉ／Ｆ５１１を有する。尚、イメージスキャナなどの画像読み取り装置、デジタルカメラなどの撮像装置などと接続し、データの送受信を行ってもよい。制御部５００は、記録ヘッド１１０２を駆動するための駆動波形を生成するとともに、記録ヘッド１１０２の圧力発生手段を選択駆動させる画像データ及びそれに伴う各種データをヘッドドライバ５４１に出力するヘッド制御部５２１を有し、また主走査モータ５４２を駆動するための主走査モータ駆動部５２２を有する。
【００３０】
制御部５００は、副走査モータを駆動するための副走査モータ駆動部５２４を有する。制御部５００は、リニアエンコーダ５４３、ホイールエンコーダ５４５からの検出パルス、及びその他の各種センサ（レジストセンサ５５３、カセット検知センサ５３１）からの検知信号を入力するためのＩ／Ｏ５１７を有する。また、制御部５００には、この装置に必要な情報の入力及び表示を行うための操作パネル５３０が接続されている。
【００３１】
また、キャリッジ１２１に搭載したレジストセンサ５５３では、記録媒体４００のセンシングを行う。
【００３２】
上記構成を有する画像形成装置１０００の印刷動作について説明する。
【００３３】
制御部５００は、パーソナルコンピュータなどが生成した印刷データやパラメータを、ネットワークを介して外部Ｉ／Ｆ５１１で受信する。
【００３４】
そして制御部５００のＣＰＵ５１２は、外部Ｉ／Ｆ５１１に含まれる受信バッファ内の印刷データを読み出して解析し、ＡＳＩＣ５１６が必要な画像処理、データの並び替え処理等を行う。これら各処理が施された画像データは、ヘッド制御部５２１に転送され、ヘッド制御部５２１から所要のタイミングでヘッドドライバ５４１に画像データや駆動波形を出力する。
【００３５】
ヘッド制御部５２１は、ＲＯＭ５１３に格納されてＣＰＵ５１２で読み出される駆動パルスのパターンデータをＤ／Ａ変換するＤ／Ａ変換器及び増幅器等を含み、１つの駆動パルス或いは複数の駆動パルスで構成される駆動波形を、ヘッドドライバ５４１に対して出力する。
【００３６】
ヘッドドライバ５４１は、記録ヘッド１１０２の１行分に相当する画像データに基づいて、駆動パルスを選択的に記録ヘッド１１０２の圧力発生手段に対して印加する。ヘッドドライバ５４１は、例えばクロック信号及び画像データであるシリアルデータを入力するシフトレジスタと、シフトレジスタのレジスト値をラッチ信号でラッチするラッチ回路と、ラッチ回路の出力値をレベル変換するレベル変換回路と、このレベル変換回路によりオン／オフが制御されるアナログスイッチアレイなどを含み、アナログスイッチアレイのオン／オフを制御することで、駆動波形に含まれる所要の駆動パルスを選択的に記録ヘッド１１０２の圧力発生手段に印加する。これらの動作により、記録ヘッド１１０２がインク滴を吐出し、記録媒体４００上に画像が形成される。
【００３７】
また一方で、本実施形態においては、制御部５００とＩＤチップリーダライタ１１１０とが接続されている。ＩＤチップリーダライタ１１１０がカセット２００に組み込まれたＩＤチップ１１２０を読み取ると、当該情報が制御部５００に入力される。また、制御部５００が書き込み指令をＩＤチップリーダライタ１１１０に出力すると、ＩＤチップリーダライタ１１１０は、当該書き込み指令に付された情報をＩＤチップ１１２０に書き込む。
【００３８】
＜従来の動作例＞
例えば白色専用、カラー専用の画像形成装置をそれぞれ複数台使用する環境下において、白色で画像形成を行った後のカセットと、画像形成を行っていない別のカセットとを取り間違えて、カラー専用の画像形成装置に挿入し、誤印刷するケースがある。また、カラーバリエーションを持たせた商品などを製造する場合でも、ある色で画像を形成した後に誤った画像形成装置にカセットを挿入すると、想定していない色の組み合わせの画像が形成されてしまう。以下では、このような誤印刷を防止する態様について説明する。
【００３９】
まず、本実施形態と対比するための従来手法について、図６を参照しつつ説明する。またここでは、白色専用、カラー専用の画像形成装置をそれぞれ複数台使う環境下で、白色印刷で下地を行い、カラー印刷で上塗りするときの動作について説明する。
【００４０】
また図６においては、白色印刷を行う従来の画像形成装置を画像形成装置２０００Ａとし、カラー印刷を行う従来の画像形成装置を画像形成装置２０００Ｂとして説明する。また、画像形成装置２０００Ａ、２０００Ｂの内部の各ユニットについては、便宜上、上記で説明した各ユニットの符号を用いて説明する。また、画像形成装置２０００Ａ内のユニットについては符号の末尾に「Ａ」を付し、画像形成装置２０００Ｂ内のユニットについては符号の末尾に「Ｂ」を付して説明する。
【００４１】
利用者は、最終形態の画像（対象画像と称する）を構成する白部のジョブと、白部以外のカラー部のジョブを、それぞれ画像形成装置２０００Ａと画像形成装置２０００Ｂに事前に投入しておく（Ｓ６０１、Ｓ６０２）。これらのジョブは、本実施形態ではパーソナルコンピュータのプリンタドライバ５０１から投入される。
【００４２】
利用者は、カセット（ここではカセット２００Ａとする）を画像形成装置２０００Ａに挿入し（Ｓ６０３）、操作パネル５３０Ａを操作して印刷ジョブを開始させる（Ｓ６０４）。画像形成装置２０００Ａの制御部５００Ａは、この操作を受け付け、そして対象画像の白部についてのデータを印刷手段１１２Ａに出力して画像形成の指示を行う。これにより、印刷手段１１２Ａは、対象画像の白部についての画像の形成を行う。
【００４３】
印刷手段１１２Ａによる画像形成が終了すると（Ｓ６０５）、利用者はカセット２００Ａを取り出す（Ｓ６０６）。
【００４４】
次に利用者は、カラー印刷を行うために、画像形成装置１０００Ｂにカセット２００Ａを挿入する（Ｓ６０７）。画像形成装置１０００Ｂは、上記の画像形成装置１０００Ａと同様の手順により対象画像のカラー部の印刷を行う（Ｓ６０８、Ｓ６０９）。ここで、利用者が白部を印刷したカセット２００Ａとは別のカセットを誤って画像形成装置１０００Ｂに挿入すると、本来の所望している画像とは異なる画像を得ることになる。そうすると、失敗作となり印刷媒体が無駄になり、印字した分のインクも無駄になってしまう。
【００４５】
＜本実施形態の動作例＞
本実施形態においては、上記のとおりカセット２００に読み書き可能なＩＤチップ１１２０を設ける。そして白色印刷を行う際に、白色専用の画像形成装置はＩＤチップ１１２０に、事前に得た特定の情報（第１情報）を書き込んで記録する。この情報を「情報Ａ」と称する。そしてカラー印刷用の画像形成装置に、白色印刷を行った後のカセット２００が挿入されると、当該カラー印刷用の画像形成装置はＩＤチップ１１２０に記録された情報Ａを参照し、これと事前に得た特定情報（第２情報）（ここでは「情報Ｂ」と称する）とを用いて、カラー印刷の許可または拒否を判定する。
【００４６】
図７は、本実施形態の動作例を示すシーケンス図である。図７では、画像形成システムの一例として、画像形成装置１０００Ａ、１０００Ｂの１台ずつを構成に含むシステムを例示しているが、それぞれ複数台構成であってもよい。
【００４７】
また、図７においては白色画像（第１画像）の形成を行う画像形成装置を画像形成装置１０００Ａ（第１画像形成装置）とし、カラー画像（第２画像）の形成を行う画像形成装置を画像形成装置１０００Ｂ（第２画像形成装置）として説明する。また、画像形成装置１０００Ａ内のユニットについては符号の末尾に「Ａ」を付し、画像形成装置１０００Ｂ内のユニットについては符号の末尾に「Ｂ」を付して説明する。
【００４８】
画像形成装置１０００Ａは、パーソナルコンピュータなどが投入した、白部の画像を印刷するジョブを受け付ける（Ｓ７０１）。このジョブは、特定の情報である情報Ａが付された状態で投入される。
【００４９】
画像形成装置１０００Ｂも同様に、パーソナルコンピュータなどが投入した、カラー部の画像を印刷するジョブを受け付ける（Ｓ７０２）。このジョブは、特定の情報である情報Ｂが付された状態で投入される。尚、ここでは、情報Ａと情報Ｂは、共に同じ値であるものとし、例えばジョブＩＤなど相互間で一連の処理を紐づけることが可能な識別情報であるものとする。
【００５０】
画像形成装置１０００Ａの制御部５００Ａは、カセット２００の挿入を検出すると（Ｓ７０３）、ＩＤチップリーダライタ１１１０を動作させてカセット２００のＩＤチップ１１２０に情報Ａを書き込んで記録する（Ｓ７０４）。そして制御部５００Ａは、印刷手段１１２Ａに対して印刷指示を行い、これにより印刷手段１１２Ａによる白部の印刷が開始される（Ｓ７０５）。印刷が終了すると（Ｓ７０６）、利用者の手作業によりカセット２００が取り外される（Ｓ７０７）。
【００５１】
次に利用者は、手作業でカラー印刷を行う画像形成装置１０００Ｂにカセット２００を挿入する（Ｓ７０８）。画像形成装置１０００Ｂの制御部５００Ｂは、ＩＤチップリーダライタ１１１０を動作させて、カセット２００のＩＤチップ１１２０から情報を読み取る。ここで読み取られる情報は、誤りが無い場合は情報Ａであるが、カセットの取り間違えが発生した場合は情報Ａ以外のものとなる。
【００５２】
そして制御部５００Ｂは、読み取った情報と、Ｓ７０２で得られた情報Ｂとを比較して、カラー印刷を続行するか、印刷せずにエラーとするかを判定する（Ｓ７０９）。
【００５３】
読み取った情報と情報Ｂとが一致する場合（換言すると、読み取った情報が情報Ａであり、且つ情報Ｂと当該情報Ａとの値が一致する場合）、制御部５００Ｂはカラー印刷を行うように印刷手段１１２Ｂを制御する（Ｓ７２０、Ｓ７２１）。一方、読み取った情報と情報Ｂとが一致しない場合（換言すると、読み取った情報が情報Ａで無い場合、または読み取った情報が情報Ａではあるが、情報Ｂと情報Ａとの値が一致しない場合）、カラー印刷をせずに、操作パネル５３０上にエラー表示などを行って利用者に通知する。
【００５４】
このような処理により、画像形成装置１０００Ｂは、正しいカセットが挿入されたかを判定することができる。誤ったカセットが挿入された場合は、画像形成処理を中止して、エラー通知を利用者に行うことができる。あわせて画像形成装置１０００Ｂは、白色印刷後にカラー印刷しているかの判定、すなわち正しい手順で行われているかを判定することも可能である。
【００５５】
尚、白色印刷を行う画像形成装置１０００Ａに送信される情報Ａと、カラー印刷を行う画像形成装置１０００Ｂに送信する情報Ｂとを、上記では同じとしているが、情報Ａと情報Ｂとの関係はこれに限定されない。以下にその他のケースを例示する。
【００５６】
＜ケース１＞
例えば、情報Ａが、情報Ｂを構成する要素のいずれかと一致するとき、すなわち情報Ａが情報Ｂに属する関係であるとき、画像形成装置１０００Ｂは印刷を続行する、との実装でもよい。この例は、下地として認められる色が決められており、情報Ａがこれら色のいずれかであればカラー印刷を行う、などの場合に有効である。
【００５７】
具体的に説明すると、下地として認められる色が例えば「緑、白、茶色」とすると、ジョブ投入の際、この「緑、白、茶色」が情報Ｂとして常に画像形成装置１０００Ｂに送信される。
【００５８】
画像形成装置１０００Ａが例えば「緑」を下地色として印刷し、情報Ａとして「緑」をＩＣチップに書き込み、このカセットが画像形成装置１０００Ｂに挿入される。この場合、画像形成装置１０００Ｂは、ＩＣチップから読み取った「緑」が、情報Ｂの「緑、白、茶色」に含まれるため、カラー印刷を行う。これに対し、画像形成装置１０００Ａが、下地として認められていない「赤」を下地として印刷し、また情報Ａとして「赤」をＩＣチップに書き込み、このカセットが画像形成装置１０００Ｂに挿入される。この場合、画像形成装置１０００Ｂは、ＩＣチップから読み取った「赤」が、情報Ｂの「緑、白、茶色」に含まれないため、カラー印刷を行わずにエラー通知を行う。
【００５９】
上記例のように、ケース１を適用することで、下地として認められている色に対してのみカラー印刷を行う、との運用が可能となる。
【００６０】
＜ケース２＞
ケース１とは逆に、情報Ｂが、情報Ａを構成する要素のいずれかと一致するとき、すなわち情報Ｂが情報Ａに属する関係であるとき、画像形成装置１０００Ｂは印刷を続行する、との実装でもよい。
【００６１】
例えば、画像形成装置１０００Ａが白色印刷を行い、画像形成装置１０００Ｂが例えば特定色のカラー印刷（例えば赤色とする）を行うケースを考える。また、画像Ａ〜Ｃの３つの異なる画像を形成するジョブが不特定に混在して投入されるとともに、画像Ａ、Ｂについては赤色を使用し、画像Ｃについては赤色を使用しないとの条件があるものとする。この場合、各ジョブの投入ごとに、画像形成装置１０００Ａには情報Ａとして「画像Ａ、画像Ｂ」を常に送り、画像形成装置１０００Ｂには、所望の対象画像と合致した符号、すなわち「画像Ａ」、「画像Ｂ」、「画像Ｃ」のいずれかを情報Ｂとして送る。
【００６２】
画像Ａを印刷する場合、画像形成装置１０００Ｂは、情報Ａ（「画像Ａ、画像Ｂ」）に情報Ｂ（「画像Ａ」）が含まれるため、赤色印刷を行う。画像Ｂについても、情報Ａ（「画像Ａ、画像Ｂ」）に情報Ｂ（「画像Ｂ」）が含まれるため、赤色印刷を行う。これに対し、画像Ｃの場合、情報Ａ（「画像Ａ、画像Ｂ」）に情報Ｂ（「画像Ｃ」）が含まれないため、赤色印刷を行わない。
【００６３】
このように、誤印刷を行うことなく、且つ上記の条件を満たした画像を得ることができる。
【００６４】
また、ケース２の他の例として、例えば３枚の記録媒体のうち２枚についてはカラー印刷を行い、残りの１枚についてはカラー印刷をせずに白抜きにする、という動作を繰り返して、カラー印刷のありと無しの比率を２：１にすることを想定する。この場合、各ジョブの投入ごとに、画像形成装置１０００Ａには情報Ａとして「１、２」を常に送り、画像形成装置１０００Ｂには情報Ｂとして「１」、「２」、「３」の順で繰り返すようにして送る。これにより、画像形成装置１０００Ｂは、情報Ｂが「１」または「２」であるときにカラー印刷を行い、情報Ｂが「３」である場合にカラー印刷を行わない、という動作となる。すなわち、所望の比率となるように作業を進めることができる。
【００６５】
本実施形態により、誤印刷することを抑制し所望の画像形成を実現することができる。
【符号の説明】
【００６６】
１１２、１１２Ａ、１１２Ｂ：印刷手段
１１３：搬送構造体
１１４：底部筐体部
１１５：搬送ガイド部材
１１６：スライダ部
１２１：キャリッジ
１２３：ガイド部材
１２４：駆動モータ
１２５：タイミングベルト
２００、２００Ａ：カセット
２０１：カセットベース
２０２：カバー
２０３：ヒンジ
２０４：ロック
２３１：支柱ベース
３００：プラテン
３１１：支柱
３３１：支柱カバー
３３２：スプリング
４００：記録媒体
５００、５００Ａ、５００Ｂ：制御部
５０１：プリンタドライバ
５１１：外部Ｉ／Ｆ
５２１：ヘッド制御部
５２２：主走査モータ駆動部
５２４：副走査モータ駆動部
５３０、５３０Ａ：操作パネル
５３１：カセット検知センサ
５４１：ヘッドドライバ
５４２：主走査モータ
５４３：リニアエンコーダ
５４５：ホイールエンコーダ
５５３：レジストセンサ
１０００、１０００Ａ、１０００Ｂ：画像形成装置
１１００：本体部
１１０２：記録ヘッド
１１１０：ＩＤチップリーダライタ
１１２０：ＩＤチップ
【先行技術文献】
【特許文献】
【００６７】
【特許文献１】特開２０１５−０３２９２６号公報
【図１】
2020142443.tif 000003
【図２】
2020142443.tif 000004
【図３】
2020142443.tif 000005
【図４】
2020142443.tif 000006
【図５】
2020142443.tif 000007
【図６】
2020142443.tif 000008
【図７】
2020142443.tif 000009